(57)【要約】　　　（修正有）【課題】墓石や墓誌や位牌に設置される彫刻用プレートに顔写真を彫刻する。【解決手段】デジタル撮像装置からの画像データ又は写真画像を読み取ってデジタルデータに変換する画像読取手段、その画像データを記憶する記憶手段、画面に写真画像を表示する表示手段、画像内容を彫刻用プレートの表面に彫刻する画像彫刻機、記憶手段に予め記憶された画像データを表示手段に送出して画面に写真画像を表示させ、表示中の画像内容を示す画像データを画像彫刻機に送出し、この画像彫刻機を動作させて彫刻用プレートに画像を彫刻させる制御を行う制御手段と、を具備する。【選択図】　　　図１
0003099659.tif 000002
【実用新案登録請求の範囲】
【請求項１】
　墓石・墓誌・位牌に設置される彫刻用プレートに故人の写真画像を彫刻する写真画像彫刻装置であって、
　デジタル撮像装置からの画像データ、または、写真画像を読み取ってデジタルデータに変換する画像読取手段よりの画像データを記憶する記憶手段、
　前記画像データを受けて画面に写真画像を表示する表示手段、
　この表示手段の画面に表示される画像内容を彫刻用プレートの表面に彫刻する画像彫刻機、
　前記記憶手段に予め記憶された画像データを前記表示手段に送出して前記画面に写真画像を表示させ、前記表示中の画像内容を示す画像データを前記画像彫刻機に送出し、かつ、この画像彫刻機を動作させて前記彫刻用プレートに画像を彫刻させる制御を行う制御手段、を具備した墓石・墓誌・位牌に設置される彫刻用プレートに故人の写真画像を彫刻する写真画像彫刻装置。
【考案の詳細な説明】
【技術分野】
【０００１】
　本考案は、彫刻用プレートに故人の写真画像を彫刻する画像彫刻装置に係り、特に、墓石や墓誌あるいは位牌に設置される彫刻用プレートに故人の顔写真を彫刻する写真画像彫刻装置に関するものである。
【背景技術】
【０００２】
　従来、墓石や墓誌や位牌には戒名や死亡に関する日付などについては記載されているが、顔写真は掲載されていなかった。
【考案の開示】
【考案が解決しようとする課題】
【０００３】
　このため、従来、墓参りに行っても子供や孫になると故人の顔をほとんど知らなかったり思い出せなかったりして、寂しい思いをするものである。かといって、普通の写真を貼っておいてもすぐに変色してしまう。
【０００４】
　本考案は、上記のような問題を解決するためになされたもので、墓石・墓誌や位牌に設置される彫刻用プレートに故人の写真画像を彫刻する写真画像彫刻装置を提供することを目的としている。
【課題を解決するための手段】
【０００５】
　上記目的を達成するため、本考案は、墓石・墓誌あるいは位牌に設置される彫刻用プレートに故人の写真画像を彫刻する写真画像彫刻装置であって、
　デジタル撮像装置からの画像データ、または、写真画像を読み取ってデジタルデータに変換する画像読取手段よりの画像データを記憶する記憶手段、
　前記画像データを受けて画面に写真画像を表示する表示手段、
　この表示手段の画面に表示される画像内容を彫刻用プレートの表面に彫刻する画像彫刻機、
　前記記憶手段に予め記憶された画像データを前記表示手段に送出して前記画面に写真画像を表示させ、前記表示中の画像内容を示す画像データを前記画像彫刻機に送出し、かつ、この画像彫刻機を動作させて前記彫刻用プレートに画像を彫刻させる制御を行う制御手段、を具備することを特徴とする故人の写真画像を彫刻する写真画像彫刻装置である。
【考案の効果】
【０００６】
　以上説明したように、本考案のうち請求項１に記載の考案は、表示手段の画面に写真画像を表示、この表示中の画像内容を示す画像データを画像彫刻機に送出して彫刻用プレートに画像を彫刻させることから、特別な技術を要せずに写真画像およびこの写真に関した情報を自在に彫刻できるうえ、写真画像が顔写真を彫刻したメモリアルプレートを簡便に制作でき、彫刻用プレートが墓石・墓誌あるいは位牌に設置されるので、墓参者がいつでも故人の顔写真を見ることができ故人が亡くなってから年月が経っても容易に思い起こすことができる利点がある。
【考案を実施するための最良の形態】
【０００７】
　以下、本考案の実施の形態について、図示例を参照しながら説明する。
【０００８】
　図１は、本考案の実施の形態に係る墓石および墓誌を示す斜視図、図２は、同墓石および墓誌を示す側面図、図３は、同墓誌を示す正面図である。
　図１において、１は石盤であり、上面１ａに石造りの墓石２および墓誌３等を載置固定している。
　墓石２は、２段目の正面２ａに載置台４を取り付けてあり、この載置台４に後述のメモリアルプレート（彫刻プレート）５が設置される。また、この墓石２は、上段の右側面２ｂにおける下部をメモリアルプレート６の固着面２ｃとしている。
　墓誌３は、略矩形状の石板からなり、石盤１の上面１ａ右側に本体３ａの脚部３ｂが固定されている。この墓誌３は、図３に示す如く前面３ｃの上部をメモリアルプレート７の固着面３ｄとし、各固着面３ｄの下部側に戒名を刻設するようになっている。
【０００９】
　メモリアルプレート５，６，７は、サイズが異なるのみで、基本的構成は同一である。
　図４は、メモリアルプレート７を示すものであり、写真画像彫刻装置によって制作されるようになっている。
　このメモリアルプレート７は、横長の本体板７ａと縦長の写真板７ｂとからなり、本体板７ａがガラス、石、陶磁器、金属、プラスチック等で形成され、写真板７ｂが銅、真鍮、アルミニウム、ステンレス、アクリル樹脂、ジュラコン等で形成される。
　本体板７ａは、中央を写真板７ｂの固着面とし、上部側に故人の姓名を彫刻する一方、下部側に生年、享年の各年月日および没年を彫刻する。
　このメモリアルプレート７は、予め本体板７ａに写真板７ｂを固着してから彫刻するが、別体のまま彫刻した後で一体的に固着してもよい。
【００１０】
　図５は、写真画像彫刻装置の電気的構成を示すブロック線図である。
　この写真画像彫刻装置は、普及型のパソコン（パーソナルコンピュータ）２１に画像読取用スキャナ１１、デジタルカメラ１２および画像彫刻機１３等を接続したもので、このパソコン２１の操作により前記メモリアルプレート７を制作する構成となっている。
　図５において、２２はキーボード、２３はマウスであり、制御部１０と双方向性に接続されている。そして、このキーボード２２とマウス２３の操作により、文字、数字、記号および各種サイン等をＣＰＵ１０ａに出力するようになっている。
　また、これらの操作によって、ワークメモリ（ＲＡＭ１０ｃ）へのデータ格納指令、ＣＲＴ２８の画面への表示指令、スキャナ１１による写真画像の読み取り指令、画像彫刻機１３への動作指令等を出力できるようになっている。
【００１１】
　１４はモデムであり、制御部１０と電話回線を介してインターネットに接続されている。このモデム４は、ＣＰＵ１０ａがインターネットに接続されると、画像データを含む各種データの送受信を行う。
　２５は画像情報入力部であり、コネクタを備えていて、制御部１０と接続されている。なお、コネクタは、デジタルカメラ１２や図示省略のビデオカメラを接続可能となっている。
　この画像情報入力部２５は、コネクタを介してデジタルカメラ１２からの静止画像が入力すると、画像データをＣＰＵ１０ａに伝送する。
　２６は画像処理回路であり、ＯＳＤ回路７とともに表示手段を構成するもので、制御部１０とＣＲＴ２８とに接続されている。
　この画像処理回路２６は、ＣＰＵ１０ａの制御に従ってＣＲＴ８の画面に写真画像を表示させる。
【００１２】
　７はＯＳＤ回路であり、画像処理回路６の出力側にある合成部（図示省略）に接続されている。そして、ＣＰＵ１０ａの指令信号に基づき、予めメモリ（ＲＯＭ１０ｂ）に記憶された文字、数字、記号等に対応するキャラクタデータを信号化して合成部に出力する。
　また、各種指令を含む表示用データ等を信号化して合成部に出力するようになっている。
　２９は画像情報出力部であり、コネクタを備えていて、制御部１０と双方向性に接続されている。コネクタには、画像彫刻機１３が接続されるようになっており、１０Ａからのオン・オフ指令信号や画像データを画像彫刻機１３側に送出する。
【００１３】
　１０は制御部であり、ＣＰＵ１０ａ，ＲＯＭ１０ｂ，ＲＡＭ１０ｃによって構成されている。ＲＯＭ１０ｂには、予めプログラムやキャラクタデータが格納されている。また、ＲＡＭ１０ｃは、ワークメモリであって、デジタルカメラ１２からの画像データ、スキャナからの画像データおよび通信線を介してインターネットから送信されてくる各画像データを記憶する。
　また、画像処理回路２６、ＯＳＤ回路２７から出力され、合成部で合成される画像データをも記憶するようになっている。
　この制御部１０は、パソコンとしての一般機能の他に、顔写真や文字等をプレートに彫刻させる自動彫刻機能のソフトをも備えている。
　なお、画像彫刻機１３は、主要部としてマイコン、画像調整部、転写部、刻印ヘッド部、着色部、コーティング部等を有しており、前記各メモリアルプレートの本体板と写真板とに画像を彫刻する構成になっている。
【００１４】
　次に、上記写真画像彫刻装置の動作について、図を参照しつつ説明する。
　まず、オペレータがパソコン２１のキーボード２２とマウス２３の操作で画像データの取り込み指令を出力し、ＣＲＴ８の画面に操作内容を表示させつつスキャナ１１、デジタルカメラ１２およびインターネットを介して他のパソコンから送出されてくる各画像データをワークメモリに記憶させる。このとき、各各画像データには、名前を付けたファイルを作成しておく。
　つぎに、画像彫刻機１３の彫刻部にメモリアルプレートをセットして、画像調整部によりサイズに応じた位置調節を行う。
　そして、キーボード２２とマウス２３の操作により、所望のファイルを読み出して開く。すると、このファイルの写真画像がＣＲＴ２８の画面に表示される。
【００１５】
　ここで、この写真画像の人物に関した基本的な情報を彫刻するため、キーボード２２とマウス２３を操作し、姓名、生年、享年の各年月日および没年を入力する。
　これに伴い、この入力文字や数字がＣＲＴ２８の画面に表示されるが、合成部で写真の画像データとキャラクタデータとが合成されているので、写真画像の上部側に姓名が、下部側に生年、享年の各年月日および没年がそれぞれ表示される。
　この際、修正が必要であるとキーボード２２とマウス２３の操作により、画面を見ながら適宜修正し、表示内容がよければ格納指令を入力する。
　すると、制御部１０が、ＣＲＴ８の画面に表示中のデータをワークメモリの所定エリヤに記憶させる。
　続いて、オペレータが彫刻指令を発すると、制御部１０は画像彫刻機１３側に彫刻開始のオン信号を送出した後、表示内容と同じデータを画像情報出力部２９に送出する。
　これに伴い、画像彫刻機１３が動作を開始し、受信データに基づいてメモリアルプレートの所定位置に写真と文字を彫刻する。
【００１６】
　これにより、図４に示す如く中央の写真板７ｂに顔写真が、周囲の本体板７ａに文字の彫刻されたメモリアルプレート７が形成される。
　このメモリアルプレート７を、図３に示す墓誌３の固着面３ｄに対し強固に接着すると、故人の顔およびその生、没年等が記された墓誌が形成される。
　なお、メモリアルプレートは、必要に応じて異なるサイズを作成できるので、前記墓石２に固着したり、固着せずに載置台４に設置するようにしてもよい。
　このように制作されたメモリアルプレートは、強度に優れた素材に彫刻を施しているので、他の方法により制作したプレートに比して全体が強く、風雨に晒されても写真が変色したり、表面が傷つくおそれも少なく耐用年数もきわめて長いものである。
　従って、子孫や婚姻により縁者となった家族が墓参したときに、先祖の面影を偲ぶことができる。
【図面の簡単な説明】
【００１７】
【図１】本考案の実施の形態に係る墓石および墓誌を示す斜視図である。
【図２】同墓石および墓誌を示す側面図である。
【図３】同墓誌を示す正面図である。
【図４】顔写真が彫刻された彫刻用プレートを示す正面図である。
【図５】写真画像彫刻装置の電気的構成を示すブロック線図である。
【符号の説明】
【００１８】
　２２　入力手段
　２８　表示手段
　２９　画像彫刻機
　１０　制御手段
　１０ｃ　記憶手段
【図１】
0003099659.tif 000003
【図２】
0003099659.tif 000004
【図３】
0003099659.tif 000005
【図４】
0003099659.tif 000006
【図５】
0003099659.tif 000007